(57)【要約】      （修正有）【課題】ハンドヘルド通信機器スタンドを提供する。【解決手段】本体１正面に吸着部材１１を備え、背面に背もたれ部材２が設けられ、該背もたれ部材は、支持部材２２及び回転部材２１を備え、該回転部材の一側端を前記本体背面に枢着すると共に他側端を支持部材２２に枢着し、該支持部材の上部及び下部及び本体には相対して磁性体などによる吸着部材２３を設けて、それぞれ前記回転部材の軸回りの回動操作により該支持部材を本体と平行に重ね合わせたとき相互に吸着した状態を保持することにより、前記背もたれ部材を揺動させず、吸着部材１１に通信機器を吸着保持して机上などに起立した状態とするときには回転部材の軸回りの回動操作により保持部材から解放した支持部材により通信機器を一定角度に起立した状態を保持する。【選択図】図３
0003234340.tif 000002
【実用新案登録請求の範囲】
【請求項１】
本体を含み、前記本体正面に通信機器を保持する吸着部材を備えると共に背面側に背もたれ部材が設けられ、
該背もたれ部材は、支持部材及び回転部材を備え、該回転部材の一側端を前記本体背面に枢着すると共に他側端を該支持部材に枢着し、
前記支持部材の上部及び下部には、それぞれ前記回転部材の軸回転操作により、前記支持部材を前記本体と平行に重ね合わせる時、前記本体と相互に吸着する部材を設けた、
ハンドヘルド通信機器スタンド。
【請求項２】
前記支持部材の上部及び下部が、それぞれ前記回転部材の軸回転操作により、前記支持部材を前記本体と平行に重ね合わせる時、前記本体と相互に吸着する部材として、前記支持部材の上部及び下部と前記本体との間にそれぞれ一組の磁性吸着部材が設けられてなる請求項1に記載のハンドヘルド通信機器スタンド。
【請求項３】
前記本体正面の吸着部材は、単一の吸盤である請求項1に記載のハンドヘルド通信機器スタンド。
【請求項４】
前記本体正面の吸着部材は、複数の吸盤である請求項1に記載のハンドヘルド通信機器スタンド。
【請求項５】
前記本体正面の吸着部材は、感圧接着剤である請求項1に記載のハンドヘルド通信機器スタンド。
【請求項６】
前記本体背面には、係止溝が設けられ、前記支持部材の上側端を挿入して係止させる請求項1に記載のハンドヘルド通信機器スタンド。
【請求項７】
前記本体は、ストラップが設けられる請求項1に記載のハンドヘルド通信機器スタンド。
【考案の詳細な説明】
【技術分野】
【０００１】
本考案は、通信機器の付属品に関し、特にハンドヘルド通信機器スタンドに関する。
【背景技術】
【０００２】
ハンドヘルド通信機器（例えば、タブレットＰＣ、携帯電話）は、固定式通信機器と異なり、現代人が携帯して外部と疎通連絡する主なツールとなっており、このほか、スマートフォン型携帯電話及びタブレット端末の発展及びインターネットの普及、及びソーシャルメディアの拡大等により、この種のハンドヘルド通信機器はドラマ、映画、バラエティ等を観賞する重要な利器にもなっている。
この種のハンドヘルド通信機器（本明細書は主に携帯電話を例とするが、携帯電話に限らない）は、スクリーンコンテンツを観賞する場合に、手で持つ以外に、テーブルに置くことも可能であり、この時、人の目の角度と協調させるため、現在は、多くのジャケットやバックスタンド（ハンドヘルド通信機器スタンドと通称される。）があり、この種のハンドヘルド通信機器を調整、固定された傾斜角度に支持することができ、例えば、台湾実用新案第Ｍ５８１２２１号「モバイル装置及びパソコン機器ホルダ」等がある。
この種のハンドヘルド通信機器スタンドは、背もたれユニットを用いて調整、固定された傾斜角度に支持することができるが、その背もたれユニットは、使用しない時にやや邪魔であり、使用しない時に収納することで占有空間を減少させることはできるが、収納が面倒であり、製造コストも増加し、構造が複雑になり、損壊のリスクも増える。
【先行技術文献】
【特許文献】
【０００３】
【特許文献１】特開２０１０−５０５６２号公報
【特許文献２】特開２００２−９９１７号公報
【考案の概要】
【考案が解決しようとする課題】
【０００４】
上記に鑑み、本考案は、本体を含み、前記本体正面に吸着部材を備え、背面に背もたれ部材が設けられ、前記背もたれ部材は、支持部材及び回転部材を含み、前記回転部材の一側端は、前記本体背面に枢着すると共に他側端は、支持部材を枢着し、前記支持部材の上部及び下部は、それぞれ前記回転部材の軸回転操作により前記支持部材を前記本体と平行に重ね合わせる時、前記本体と相互に吸着して保持するハンドヘルド通信機器スタンドを提供し、簡易な吸着によって前記支持部材を前記本体と平行に重ね合わせた状態で保持して前記背もたれ部材を揺動させず、且つ構造が簡単で金型及び製造の面倒及び工程を節減し、使用者も簡易に操作することができるようにすることを目的とする。
【課題を解決するための手段】
【０００５】
本考案のハンドヘルド通信機器スタンドは、本体を含み、前記本体正面に通信機器を保持する吸着部材を備え、背面に背もたれ部材が設けられ、前記背もたれ部材は、回転部材を備え、前記回転部材の一側端は、前記本体背面に枢着すると共に他側端は、支持部材を枢着し、前記支持部材の上部及び下部は、それぞれ前記回転部材の軸回転操作により前記支持部材を前記本体と平行に重ね合わせる時、前記本体と相互に吸着し、簡易な吸着によって前記支持部材を前記本体と平行に重ね合わせた状態で保持して前記背もたれ部材を揺動させず、且つ構造が簡単で金型及び製造の面倒及び工程を節減し、使用者も簡易に操作することができる。
【考案の効果】
【０００６】
本考案のハンドヘルド通信機器スタンドは、簡易な吸着によって前記支持部材を前記本体と平行に重ね合わせた状態で保持して前記背もたれ部材を揺動させず、且つ構造が簡単で金型及び製造の面倒及び工程を節減し、使用者も簡易に操作することができる。
【図面の簡単な説明】
【０００７】
【図１】本考案の閉じた状態の正面を示す斜視図である。
【図２】本考案の軸回転状態の背面を示す斜視図である。
【図３】本考案の回転部材の軸回転状態の平面断面図である。
【図４】本考案の背もたれの軸回転状態の説明図である。
【図５】本考案の支持部材の係合状態の説明図である。
【図６】本考案の携帯電話に取り付けた状態の背もたれ部材の回転の説明図である。
【図７】本考案の携帯電話に取り付けた状態の背もたれ部材の支持部材の係合の説明図である。
【図８】本考案の吸着部材の実施例の図である。
【図９】本考案の吸着部材の実施例の図である。
【図１０】本考案のストラップを増設した説明図である。
【図１１】本考案のストラップを増設し、バッグのストラップに取り付けた説明図である。
【図１２】本考案のストラップを増設し、コードを収納した説明図である。
【図１３】本考案のストラップの別の実施例の図である。
【考案を実施するための形態】
【０００８】
本考案を更に分かり易くするため、以下に図面を参照して、本考案の構造、特徴及び実施例を説明する。
【０００９】
図１及び図２を参照する。
本考案のハンドヘルド通信機器スタンドは、本体１を含み、前記本体１の正面に通信機器を保持する吸着部材１１を備え、背面に背もたれ部材２が設けられ、該背もたれ部材２には、回転部材２１を設けて該回転部材２１の一側端は、前記本体１の背面に枢着すると共に他側端には、支持部材２２を枢着し、前記支持部材２２の上部及び下部は、それぞれ前記回転部材２１の軸回転操作により前記支持部材２２を前記本体１と平行に重ね合わせる時、前記本体１と相互に吸着する。
【００１０】
簡易な吸着によって前記支持部材２２を前記本体１と平行に重ね合わせた状態に保持して前記背もたれ部材２を揺動させず、且つ構造が簡単で金型及び製造の面倒及び工程を節減し、使用者も簡易に操作することができる。
【００１１】
図３を合わせて参照する。
前記支持部材２２の上部及び下部は、それぞれ前記回転部材２１の回転操作により、前記支持部材２２を前記本体１と平行に重ね合わせる時、前記本体１と相互に吸着せしめる。好適な実施例では、前記支持部材２２の上部及び下部と前記本体１との間にそれぞれ一組の磁性体などの吸着部材２３を設け、簡易に磁性吸着することができる（前記磁性吸着部材は、硬磁性体と軟磁性体との互いの対応であってよく、又は2つの対応する側端が何れも硬磁性体であってもよく、且つ美観のために材質内部に隠蔽することもできる）。
【００１２】
図４及び図５を参照する。
本考案の前記本体１の背面に係止溝１２が設けられ、前記支持部材２２を前記回転部材２１において回転操作することにより、前記支持部材２２の上側端が前記係止溝１２に挿入されて係止を受けて位置決めされることを示しており、図６及び図７に示すように、前記吸着部材１１が携帯電話３を吸着保持する時、一定の起立した傾斜角度を提供し、使用者に携帯電話のスクリーン画面を観賞させる。
【００１３】
図８に示すように、本考案の実施例は、吸着部材１１Ａを単一の比較的大きな吸盤とすることができる。又は、図１に示すように、前記吸着部材１１は、比較的小さな吸盤であってもよい。図９に示すように、吸着部材１１ｂは、技術が成熟した感圧接着剤であってもよく、使用者に前記携帯電話３の背面の状態に様々な考えを持たせることができる。
【００１４】
図１０に示すように、本考案の前記本体１は、ストラップ１３が設けられることができ、図１１に示すように、前記ストラップ１３は、巻き付けた状態でバックのストラップ４に掛けることができる。または、図１２に示すように、携帯電話のコード５を収納して束ねることができ、図１３に示すように、ストラップ１３Ａの内側端に面ファスナーであってもよく、更に操作を簡便にすることができる。
【００１５】
上記のように、本考案は、産業利用可能性を確かに備え、且つ出願前に刊行物に見られず、公開使用されておらず、公衆に知られておらず、且つ非自明性を有する。
【符号の説明】
【００１６】
１      本体
１１    吸着部材
１１Ａ  吸着部材
１１Ｂ  吸着部材
１２    係止溝
１３    ストラップ
１３Ａ  ストラップ
２      背もたれ部材
２１    回転部材
２２    支持部材
２３    磁性吸着部材
３      携帯電話
４      バッグのストラップ
５      コード
【図１】
0003234340.tif 000003
【図２】
0003234340.tif 000004
【図３】
0003234340.tif 000005
【図４】
0003234340.tif 000006
【図５】
0003234340.tif 000007
【図６】
0003234340.tif 000008
【図７】
0003234340.tif 000009
【図８】
0003234340.tif 000010
【図９】
0003234340.tif 000011
【図１０】
0003234340.tif 000012
【図１１】
0003234340.tif 000013
【図１２】
0003234340.tif 000014
【図１３】
0003234340.tif 000015